(57)【要約】【課題】簡便な操作により左乳房画像と右乳房画像との位置合わせを行うこと。【解決手段】画像記憶部１３は、左乳房に関する左乳房画像データと右乳房に関する右乳房画像データとを記憶する。表示部１９は、左乳房画像データに基づく左乳房表示画像と右乳房画像データに基づく右乳房表示画像とを画面内の表示ウィンドウに並べて表示する。対象点設定部２５は、左乳房画像データと右乳房画像データとの少なくとも一方の乳房画像データに、ユーザからの指示に従って対象点を設定する。目標点設定部２７は、表示ウィンドウに、ユーザからの指示に従って目標点を設定する。表示制御部１５は、対象点と目標点とを利用して左乳房表示画像と右乳房表示画像とを位置合わせする。【選択図】      図１
2014100302.tif 000002
【特許請求の範囲】
【請求項１】
左乳房に関する左乳房画像データと右乳房に関する右乳房画像データとを記憶する記憶部と、
前記左乳房画像データに基づく左乳房表示画像と前記右乳房画像データに基づく右乳房表示画像とを画面内の表示領域に並べて表示する表示部と、
前記左乳房画像データと前記右乳房画像データとの少なくとも一方の乳房画像データに、ユーザからの指示に従って対象点を設定する対象点設定部と、
前記表示領域に、ユーザからの指示に従って目標点を設定する目標点設定部と、
前記対象点と前記目標点とを利用して前記左乳房表示画像と前記右乳房表示画像とを位置合わせする表示制御部と、
を具備する医用画像観察装置。
【請求項２】
前記表示制御部は、前記表示領域内の前記目標点の基準座標に前記対象点の基準座標が一致するように前記左乳房表示画像と前記右乳房表示画像とを位置合わせする、請求項１記載の医用画像観察装置。
【請求項３】
前記対象点設定部は、ユーザからの指示に従って、前記左乳房画像データと前記右乳房画像データとのうちの一方の画像データに前記対象点を設定し、
前記表示制御部は、前記一方の画像データ上の前記対象点の基準座標が前記目標点の基準座標に一致するように、前記左乳房表示画像と前記右乳房表示画像とのうちの前記一方の画像データに基づく表示画像をスライドする、
請求項１又は２記載の医用画像観察装置。
【請求項４】
前記対象点設定部は、ユーザからの指示に従って、前記左乳房画像データに第１対象点を設定し、前記右乳房画像データに第２対象点を設定し、
前記表示制御部は、前記左乳房画像データ上の前記第１対象点の基準座標と前記右乳房画像データ上の前記第２対象点の基準座標とが、前記目標点の基準座標に一致するように、前記左乳房表示画像と前記右乳房表示画像とをスライドする、
請求項１又は２記載の医用画像観察装置。
【請求項５】
前記対象点設定部は、ユーザからの指示に従って、前記左乳房画像データと前記右乳房画像データとのうちの一方の画像データに第１対象点を設定し、前記左乳房画像データと前記右乳房画像データとのうちの他方の画像データの前記第１対象点との解剖学的同一点に第２対象点を設定し、
前記表示制御部は、前記左乳房画像データ上の前記第１対象点の基準座標と前記右乳房画像データ上の前記第２対象点の基準座標とが、前記目標点の基準座標に一致するように、前記左乳房表示画像と前記右乳房表示画像とをスライドする、
請求項１又は２記載の医用画像観察装置。
【請求項６】
前記対象点の座標と前記目標点の座標とを記憶する座標記憶部をさらに備える、請求項１又は２記載の医用画像観察装置。
【請求項７】
判定部をさらに備え、
前記画像記憶部は、前記左乳房画像データと前記右乳房画像データとを撮影方向に関する情報に関連付けて記憶し、
前記判定部は、前記撮影方法または撮影方向に従って前記左乳房表示画像と前記右乳房表示画像とを回転させるか否かを判定し、
前記表示制御部は、前記判定部により回転させると判定された場合、前記左乳房表示画像内の左乳房領域と前記右乳房表示画像内の右乳房領域とが互いに背中合わせに表示されるように前記左乳房表示画像と前記右乳房表示画像とを個別に回転し、前記判定部により回転させないと判定された場合、前記左乳房表示画像と前記右乳房表示画像とを回転させない、
請求項１又は２記載の医用画像観察装置。
【発明の詳細な説明】
【技術分野】
【０００１】
本発明の実施形態は、医用画像観察装置に関する。
【背景技術】
【０００２】
乳房Ｘ線撮影装置により撮影された左乳房画像と右乳房画像とは、観察の際、医用画像観察装置により並べて表示されている。左乳房画像と右乳房画像との観察のし易さのため、両画像内のニップル（nipple：乳頭）領域の形状に基づく画像処理による自動位置合わせ処理が行われている。これによりニップル領域の表示領域内での高さを揃えて両画像が表示される。しかし、ニップル領域の形状が明瞭な場合にのみこの自動位置合わせ処理を使用することができる。ニップル領域の形状が不明瞭な場合、ユーザによるドラッグ・アンド・ドロップ等の面倒な画像操作により位置合わせが行われている。
【発明の概要】
【発明が解決しようとする課題】
【０００３】
目的は、簡便な操作により左乳房画像と右乳房画像との位置合わせを行うことが可能な医用画像観察装置を提供することにある。
【課題を解決するための手段】
【０００４】
本実施形態に係る医用画像観察装置は、左乳房に関する左乳房画像データと右乳房に関する右乳房画像データとを記憶する記憶部と、前記左乳房画像データに基づく左乳房表示画像と前記右乳房画像データに基づく右乳房表示画像とを画面内の表示領域に並べて表示する表示部と、前記左乳房画像データと前記右乳房画像データとの少なくとも一方の乳房画像データに、ユーザからの指示に従って対象点を設定する対象点設定部と、前記表示領域に、ユーザからの指示に従って目標点を設定する目標点設定部と、前記対象点と前記目標点とを利用して前記左乳房表示画像と前記右乳房表示画像とを位置合わせする表示制御部と、を具備する。
【図面の簡単な説明】
【０００５】
【図１】本実施形態に係る医用画像観察装置の構成を示す図。
【図２】本実施形態の第１実施例に係るシステム制御部の制御のもとに行われる位置合わせ処理の典型的な流れを説明するための図。
【図３】図２のステップＳＡ２において表示制御部により実行される左乳房表示画像と右乳房表示画像との初期表示の表示例を示す図。
【図４】図１の画像記憶部に記憶されている左乳房画像データと右乳房画像データとの一例を示す図。
【図５】第１実施例に係る対象点設定部による対象点と目標点との設定処理を説明するための図。
【図６】第１実施例に係る左乳房表示画像と右乳房表示画像との位置合わせ処理を説明するための図。
【図７】第１実施例に係る表示制御部による位置合わせ後の左乳房表示画像と右乳房表示画像とを示す図。
【図８】第２実施例に係るシステム制御部の制御のもとに行われる位置合わせ処理の典型的な流れを説明するための図。
【図９】第２実施例に係る対象点設定部による第１の対象点、第２の対象点、及び目標点の設定処理を説明するための図。
【図１０】第２実施例に係る左乳房表示画像と右乳房表示画像との位置合わせ処理を説明するための図。
【図１１】第２の実施例に係る第１の対象点、第２の対象点、及び目標点の他の設定処理を説明するための図。
【発明を実施するための形態】
【０００６】
以下、図面を参照しながら本実施形態に係わる医用画像観察装置を説明する。
【０００７】
本実施形態に係る医用画像観察装置は、乳房画像（マンモグラフィ画像）をユーザが観察するためのコンピュータ装置である。医用画像観察装置としては、例えば、画像読影の際に利用されるビューワや、乳房画像が正しく撮影されたか否かを検査する検像装置が適当である。
【０００８】
図１は、本実施形態に係る医用画像観察装置１の構成を示す図である。図１に示すように、本実施形態に係る医用画像観察装置１は、情報処理プロセッサ１０を搭載している。情報処理プロセッサ１０は、システム制御部１１を中枢として画像記憶部１３及び表示制御部１５を有している。
【０００９】
画像記憶部１３は、被検体の左乳房に関する医用画像データと右乳房に関する医用画像データとを記憶する。以下、左乳房に関する医用画像データを左乳房画像データと呼び、右乳房に関する医用画像データを右乳房画像データと呼ぶことにする。左乳房画像データと右乳房画像データとは、Ｘ線診断装置や磁気共鳴診断装置等の医用画像診断装置により撮影されたものである。Ｘ線診断装置としては、右乳房と左乳房とを圧迫板で挟んでＸ線で撮影する乳房Ｘ線撮影装置（マンモグラフィ装置）が典型的である。以下、左乳房画像データと右乳房画像データとは、乳房Ｘ線撮影装置により撮影された２次元の画像データであるとする。左乳房画像データには左乳房を示すコードが関連付けられ、右乳房画像データには右乳房を示すコードが関連付けられている。左乳房画像データと右乳房画像データとには、撮影条件が関連付けられている。撮影条件としては、管電圧値や管電流値の他に、撮影方向に関する情報が関連付けられている。撮影方向としては、例えば、頭尾方向（CranioCaudal projection：ＣＣ）、内外方向（MedioLateral projection：ＭＬ）、内外斜方向（MedioLateral Oblique projection：ＭＬＯ）等がある。特有の撮影方向を用いる撮影方法により撮影された場合、撮影方法に関する情報が撮影方向に関する情報として用いられても良い。
【００１０】
表示制御部１５は、左乳房画像データに基づく表示画像と右乳房画像データに基づく表示画像とを出力ＩＦ部１７を介して表示部１９に表示させる。以下、左乳房画像データに基づく表示画像を左乳房表示画像と呼び、右乳房画像データに基づく表示画像を右乳房表示画像と呼ぶことにする。表示制御部１５は、左乳房表示画像と右乳房表示画像との表示のために位置合わせ等の種々の表示制御処理を実行する。また、表示制御部１５は、必要に応じて医用レポートを出力ＩＦ部１７を介して表示部１９に表示させることもできる。
【００１１】
システム制御部１１は、医用画像観察装置１の中枢として機能する。システム制御部１１は、左乳房表示画像と右乳房表示画像との表示プログラムに従って医用画像観察装置１内の各部を制御する。また、システム制御部１１は、入力ＩＦ部２１を介して操作部２３から入力された各種指令や情報入力に従って医用画像観察装置１内の各部を制御する。
【００１２】
情報処理プロセッサ１０には、出力ＩＦ部１７を介して表示部１９が接続され、入力ＩＦ部２１を介して操作部２３が接続されている。
【００１３】
表示部１９は、医用画像参照モニタ１９１と医用レポートモニタ１９３とを有している。医用画像参照モニタ１９１の画面には、表示制御部１５による制御に従って左乳房表示画像と右乳房表示画像とが表示される。医用レポートモニタの画面には、表示制御部１５による制御に従って医用レポートが表示される。モニタとしては、例えばＣＲＴディスプレイや、液晶ディスプレイ、有機ＥＬディスプレイ、プラズマディスプレイ等が適宜利用可能である。
【００１４】
操作部２３は、入力機器によるユーザからの各種指令や情報入力を受け付ける。入力機器としては、キーボード２３１やマウス２３３、各種スイッチ等が利用可能である。
【００１５】
本実施形態に係る医用画像観察装置１は、左乳房表示画像と右乳房表示画像との位置合わせを簡便な操作で行うことを可能とする。この簡便な位置合わせを実行するために、本実施形態に係る医用画像観察装置１は、さらに、対象点設定部２５、目標点設定部２７、及び座標記憶部２９を有している。
【００１６】
対象点設定部２５は、左乳房画像データと右乳房画像データとの少なくとも一方の乳房画像データ内の任意の位置に、ユーザによる操作部２３を介した指示に従って対象点を設定する。対象点は、位置合わせ処理におけるスライドの移動対象点に対応する。
【００１７】
目標点設定部２７は、医用画像参照モニタ１９１の画面に設けられた画像表示領域内の任意の位置に、ユーザによる操作部２３を介した指示に従って目標点を設定する。目標点は、位置合わせ処理における対象点のスライドの目標到達点に対応する。
【００１８】
座標記憶部２９は、対象点の乳房画像データ上の座標と目標点の画像表示領域上の座標とを記憶する。これら対象点の座標と目標点の座標とは、左乳房画像データと右乳房画像データとに関連付けられる。具体的には、対象点の座標と目標点の座標とは、例えば、ＤＩＣＯＭ規格に準拠したＤＩＣＯＭ・ＧＳＰＳ（グレースケールソフトコピー提示状態：Gray Scale Presentation State）データ形式に変換され、ＤＩＣＯＭ・ＧＳＰＳデータ形式で左乳房画像データと右乳房画像データとに関連付けられる。なお、対象点の座標と目標点の座標とのデータ形式は、ＤＩＣＯＭ規格に準拠したＤＩＣＯＭ・ＧＳＰＳデータ形式に限定されず、ＤＩＣＯＭ規格に準拠した他のデータ形式でも良いし、ＤＩＣＯＭ規格に準拠していないデータ形式でも良い。
【００１９】
対象点と目標点とが設定されると表示制御部１５は、対象点と目標点とを利用して左乳房表示画像と右乳房表示画像とを位置合わせする。
【００２０】
以下、システム制御部１１の制御のもとに行われる位置合わせ処理について詳細に説明する。位置合わせ処理は、対象点の設定数に応じて態様が異なる。以下、第１実施例において対象点の設定数が１の場合の位置合わせ処理を説明し、第２実施例において対象点の設定数が２の場合の位置合わせ処理を説明する。
【００２１】
（第１実施例）
図２は、第１実施例に係るシステム制御部１１の制御のもとに行われる位置合わせ処理の典型的な流れを説明するための図である。なお、ステップＳＡ１の開始時において、既に乳房Ｘ線撮影装置から左乳房画像データと右乳房画像データとが医用画像観察装置１に送信され、画像記憶部１３に記憶されているものとする。
【００２２】
ステップＳＡ１においてシステム制御部１１は、画像表示依頼を受けることを待機している（ステップＳＡ１）。画像表示依頼は、例えば、医用レポートの作成時等において行われる。ユーザは、操作部２３を介して画像表示依頼を入力する。
【００２３】
ステップＳＡ１において画像表示依頼がなされると（ステップＳＡ１：ＹＥＳ）、システム制御部１１は、表示制御部１５に初期表示を行わせる（ステップＳＡ２）。ステップＳＡ２において表示制御部１５は、左乳房画像データに基づく左乳房表示画像と右乳房画像データに基づく右乳房表示画像とを画像表示領域に初期的に所定のレイアウトで表示する。
【００２４】
図３は、ステップＳＡ２において表示制御部１５により実行される左乳房表示画像と右乳房表示画像との初期表示の表示例を示す図である。図３に示すように、画面ＳＣは、画像表示領域（以下、表示ウィンドウと呼ぶ。）ＤＷを含んでいる。表示ウィンドウＤＷは、左側表示ウィンドウＤＷ１と右側表示ウィンドウＤＷ２とに区分されている。左側表示ウィンドウＤＷ１には左乳房表示画像ＤＩ１が表示され、右側表示ウィンドウＤＷ２には右乳房表示画像ＤＩ２が表示される。
【００２５】
各表示ウィンドウＤＷは、縦軸（ｙ軸）と横軸（ｘ軸）とにより規定されている。縦軸方向は、画面ＳＣの高さ方向に一致する。
【００２６】
ここで、初期表示の詳細な処理について説明する。ステップＳＡ２において表示制御部１５は、まず、観察対象の左乳房画像データと右乳房画像データとを画像記憶部１３から読み出す。表示制御部１５は、左乳房を示すコードが関連付けられている画像データを左乳房画像データであると認識し、右乳房を示すコードが関連付けられている画像データを右乳房画像データであると認識する。表示制御部１５は、読み出した左乳房画像データに基づいて初期的な左乳房表示画像を発生し、読み出した右乳房画像データに基づいて初期的な右乳房表示画像を発生する。
【００２７】
図４は、画像記憶部１１に記憶されている左乳房画像データＭＩ１と右乳房画像データＭＩ２との一例を示す図である。図４に示すように、左乳房画像データＭＩ１は、被検体の左乳房に関する画像領域（以下、左乳房領域と呼ぶことにする。）ＲＭ１を有している。右乳房画像データＭＩ２は、被検体の右乳房に関する画像領域（以下、右乳房領域と呼ぶことにする。）ＲＭ２を有している。左乳房領域ＲＭ１は、左ニップルに関する画像領域（以下、左ニップル領域と呼ぶことにする。）ＲＮ１を有している。右乳房領域ＲＭ２は、右ニップルに関する画像領域（以下、右ニップル領域と呼ぶことにする。）ＲＮ２を有している。なお、左ニップル領域ＲＮ１は、必ずしも左乳房画像データＭＩ１の含まれている必要はなく、同様に、右ニップル領域ＲＮ２は、必ずしも右乳房画像データＭＩ２の含まれている必要はない。典型的には、左乳房画像データＭＩ１内の左乳房領域ＲＭ１の向きと右乳房画像データＭＩ２内の右乳房領域ＲＭ２の向きとは、同一である。左乳房画像データＭＩ１の胸部側の画像領域ＲＢ１は、生体領域以外に関する画像領域、すなわち、無関心領域に対応する。同様に、右乳房画像データＭＩ２は、生体領域以外に関する画像領域、すなわち、無関心領域に対応する。画像記憶部１１に記憶されている左乳房画像データＭＩ１と右乳房画像データＭＩ２とは、撮影されたままの状態となっており、左ニップル領域ＲＮ１の左乳房画像データＭＩ１における座標と右ニップル領域ＲＮ２の右乳房画像データＭＩ２における座標とは異なっている。なおＸＹ平面は、乳房Ｘ線撮影装置の圧迫板の平面に対応する。例えば、圧迫板の長軸方向がＹ軸方向に規定され、短軸方向がＸ軸方向に規定されると良い。
【００２８】
ステップＳＡ２における表示画像の発生処理において表示制御部１５は、左乳房画像データＭＩ１に表示関心領域ＲＤ１を設定し、右乳房画像データＭＩ２に表示関心領域ＲＤ２を設定する。設定された表示関心領域ＲＤ１，ＲＤ２内の画像データから所定の表示条件に従って各乳房表示画像ＤＩ１，ＤＩ２を発生する。表示関心領域ＲＤ１，ＲＤ２の高さ方向（Ｙ軸方向）は表示ウィンドウの高さ方向（ｙ軸方向）に対応し、表示関心領域ＲＤ１，ＲＤ２の横方向（Ｘ軸方向）は、表示ウィンドウＳＣの横方向（ｘ軸方向）に対応する。初期的には、各表示関心領域ＲＤ１，ＲＤ２は、各乳房画像データＭＩ１，ＭＩ２内の同一座標範囲を占めるように設定される。また、各表示関心領域ＲＤ１，ＲＤ２は、無関心領域ＲＢ１，ＲＢ２を除外するように設定される。表示条件としては、例えば、ウィンドウ幅とウィンドウレベルとが挙げられる。表示制御部１５は、各表示関心領域ＲＤ１，ＲＤ２内の画素値を既定のウィンドウ幅とウィンドウレベルとに応じたグレイ値またはカラー値に変換することにより各乳房表示画像ＤＩ１，ＤＩ２を発生する。なお、表示関心領域ＲＤ１，ＲＤ２と表示ウィンドウＤＷ１，ＤＷ２とのマトリクスサイズは、同一であっても同一でなくても良い。同一でない場合、各乳房表示画像ＤＩ１，ＤＩ２が表示ウィンドウＤＷ１，ＤＷ２に収まるように拡大または縮小が行われるとよい。このようにして左乳房表示画像ＤＩ１と右乳房表示画像ＤＩ２とが発生されると表示制御部１５は、左乳房表示画像ＤＩ１を左側表示ウィンドウＤＷ１に、右乳房表示画像ＤＩ２を右側表示ウィンドウＤＷ２に表示する。この際、表示制御部１５は、左乳房領域ＲＭ１が左を向き、右乳房領域ＲＭ２が右を向くように、必要に応じて各乳房表示画像ＤＩ１，ＤＩ２を左右反転させる。例えば、図４の場合、左乳房領域ＲＭ１が右を向いている。このため、表示制御部１５は、左乳房領域ＲＭ１が左を向くように左乳房表示画像ＤＩ１を左右反転する。これにより、図３に示すように、左乳房領域ＲＭ１と右乳房領域ＲＭ２とが表示ウィンドウＤＷにおいて互いに背中合わせになるように左乳房表示画像ＤＩ１と右乳房表示画像ＤＩ２とが表示される。
【００２９】
しかしながら、ステップＳＡ２においては、左ニップル領域と右ニップル領域との画面内における高さが一致しておらず、左乳房表示画像ＤＩ１と右乳房表示画像ＤＩ２との位置合わせが必要である。
【００３０】
ステップＳＡ２が行われるとシステム制御部１１は、ユーザにより操作部２３を介して対象点の位置が指定されることを待機している（ステップＳＡ３）。ユーザは、位置合わせが必要であると判断すると、操作部２３を介して、左乳房表示画像ＤＩ１と右乳房表示画像ＤＩ２との何れか一方の表示画像に対象点の位置を指定する。対象点の位置の指定は、例えば、マウス２３３の操作により実行される。
【００３１】
対象点の位置が指定されると（ステップＳＡ３：ＹＥＳ）、システム制御部１１は、対象点設定部２５に設定処理を行わせる（ステップＳＡ４）。ステップＳＡ４において対象点設定部２５は、ステップＳＡ３において指定された位置に対象点を設定する。
【００３２】
ステップＳＡ４が行われるとシステム制御部１１は、ユーザにより操作部２３を介して目標点の位置が指定されることを待機している（ステップＳＡ５）。ユーザは、対象点の位置の指定が終了すると、次に、操作部２３を介して表示ウィンドウに目標点の位置を指定する。目標点の位置の指定は、対象点の位置の指定と同様に、例えば、マウス２３３の操作により実行される。
【００３３】
目標点の位置が指定されると（ステップＳＡ５：ＹＥＳ）、システム制御部１１は、目標点設定部２７に設定処理を行わせる（ステップＳＡ６）。ステップＳＡ６において目標点設定部２７は、ステップＳＡ５において指定された位置に目標点を設定する。
【００３４】
ステップＳＡ６が行われるとシステム制御部１１は、座標記憶部２９に記憶処理を行わせる（ステップＳＡ７）。ステップＳＡ７において座標記憶部２９は、ステップＳＡ４において設定された対象点の画像データ上の座標を記憶する。また、ステップＳＡ７において座標記憶部２９は、ステップＳＡ６において設定された目標点の表示ウィンドウ上の座標を記憶する。
【００３５】
ステップＳＡ７が行われるとシステム制御部１１は、表示制御部１５に位置合わせ処理を行わせる（ステップＳＡ８）。ステップＳＡ８において表示制御部１５は、対象点と目標点とを利用して左乳房表示画像と右乳房表示画像とを位置合わせする。より詳細には、表示制御部１５は、表示ウィンドウ内の目標点の高さ座標に対象点の高さ座標が一致するように左乳房表示画像と右乳房表示画像とを位置合わせする。なお、位置合わせ対象の座標は、高さ座標だけでなく、ｘ軸及びＸ軸方向（横軸方向）であっても良い。
【００３６】
次に図５と図６とを参照しながら、第１実施例に係る左乳房表示画像ＤＩ１と右乳房表示画像ＤＩ２との位置合わせについて説明する。図５は、対象点ＰＴと目標点ＰＧとの設定処理を説明するための図である。なお、図５に示すように、ユーザは、ステップＳＡ３において、マウス２３３の操作によりマウスカーソルＭＣを移動して対象点ＰＴの位置を指定する。図５においては、左乳房表示画像ＤＩ１の左ニップル領域ＲＮ１に対象点ＰＴの位置が指定される。指定された位置に対応する左乳房画像データ上の座標は、対象点設定部２５により対象点に設定される。次にユーザは、マウス２３３の操作によりマウスカーソルＭＣを移動して目標点ＰＧの位置を指定する。図５においては、右乳房表示画像ＤＩ２の右ニップル領域ＲＮ２に目標点ＰＧの位置が指定される。指定された位置に対応する表示ウィンドウＤＷ上の座標は、目標点設定部２７により目標点ＰＧに設定される。
【００３７】
なお対象点ＰＴの位置と目標点ＰＧの位置との指定を機械的に区別するために、対象点ＰＴの位置と目標点ＰＧの位置との指定に所定のルールが設けられても良い。例えば、対象点ＰＴの位置の指定はマウス２３３によるシングルクイック操作により、目標点ＰＧの位置の指定はマウス２３３によるダブルクイック操作により実行されても良い。また、対象点ＰＴの位置及び目標点ＰＧの位置の指定後に、確定ボタンがクリックされることで、対象点ＰＴの位置及び目標点ＰＧの位置の指定が確定されても良い。
【００３８】
図６は、図５のように対象点ＰＴと目標点ＰＧとが設定された場合における左乳房表示画像ＤＩ１と右乳房表示画像ＤＩ２との位置合わせの一例を示す図である。図６に示すように、対象点ＰＴが目標点ＰＧの高さ座標に位置するように、対象点ＰＴが設定された左乳房表示画像ＤＩ１が高さ方向（ｙ方向）に沿ってスライドされる。この際、対象点ＰＴが設定されていない右乳房表示画像ＤＩ２はスライドされない。また、左乳房表示画像ＤＩ１は、横軸方向（ｘ方向）に沿ってスライドされなくて良い。対象点ＰＴが目標点ＰＧの高さ座標に一致するように、対象点ＰＴが設定された左乳房表示画像ＤＩ１がスライドされることで、図７に示すように、左乳房表示画像ＤＩ１と右乳房表示画像ＤＩ２とが位置合わせされる。
【００３９】
なお、上記の説明において、対象点の設定対象画像は、左乳房表示画像であるとした。しかしながら、本実施形態はこれに限定されない。対象点の設定対象画像は、左乳房表示画像のみに限定されず、右乳房表示画像であっても良い。また、対象点の設定対象領域は、ニップル領域のみに限定されず、表示画像内の如何なる領域（点）であっても良い。目標点の設定対象画像は、右乳房表示画像のみに限定されず、左乳房表示画像であっても良い。また、目標点の設定対象領域は、ニップル領域のみに限定されず、表示ウィンドウ内の如何なる領域（点）であっても良い。また、対象点と目標点とは、互いに異なる乳房表示画像に設定される必要はなく、同一の乳房表示画像に設定されても良い。
【００４０】
以上で、第１実施例に係るシステム制御部１１の制御のもとに行われる位置合わせ処理の説明を終了する。
【００４１】
第１実施例によれば、対象点が一点だけ設定される。従って対象点が二点される第２実施例に比して、より簡便な操作で左乳房表示画像と右乳房表示画像とを位置合わせすることができる。
【００４２】
上記のように、典型的な撮影方向の場合、各乳房画像データにおいて無関心領域は高さ直方向に向いている。しかしながら、無関心領域が高さ方向に向かない撮影方向もある。この場合、左乳房領域と右乳房領域とを背中合わせに表示するために、本実施形態に係る医用画像観察装置１は、さらに判定部３１を有している。
【００４３】
判定部３１は、左乳房表示画像と右乳房表示画像との初期表示の際、システム制御部１１による制御に従って起動される。判定部３１は、左乳房画像データと右乳房画像データとに関連付けられている撮影方向に関する情報を解析し、左乳房画像データと右乳房画像データとの撮影方向を特定する。そして判定部３１は、特定された撮影方向に従って左乳房表示画像と右乳房表示画像とを回転させるか否かを判定する。例えば、判定部３１は、撮影方向に回転角度を示すコードを関連付けたテーブルを有している。なお回転角度０°は回転無しに対応する。判定部３１は、特定された撮影方向からテーブルを利用して回転の有無、換言すれば、回転角度を決定する。
【００４４】
判定部３１により回転をする必要があると判定された場合、表示制御部１５は、各乳房画像データの中心座標周りに各乳房表示画像を回転する。そして、表示制御部１５は、回転後の左乳房表示画像と右乳房表示画像とを表示ウィンドウに表示する。これにより左乳房表示画像内の左乳房領域と右乳房表示画像内の右乳房領域とが背中合わせで表示される。
【００４５】
（第２実施例）
図８は、第２実施例に係るシステム制御部１１の制御のもとに行われる位置合わせ処理の典型的な流れを説明するための図である。
【００４６】
ステップＳＢ１においてシステム制御部１１は、画像表示依頼を受けることを待機している（ステップＳＢ１）。ステップＳＢ１は、ステップＳＡ１と同様の処理なので詳細な説明は省略する。
【００４７】
ステップＳＢ１において画像表示依頼がなされると（ステップＳＢ１：ＹＥＳ）、システム制御部１１は、表示制御部１５に初期表示を行わせる（ステップＳＢ２）。ステップＳＢ２は、ステップＳＡ２と同様の処理なので詳細な説明は省略する。
【００４８】
ステップＳＢ２が行われるとシステム制御部１１は、ユーザにより操作部２３を介して第１の対象点の位置が指定されることを待機している（ステップＳＢ３）。ユーザは、位置合わせが必要であると判断すると、操作部２３を介して、左乳房表示画像と右乳房表示画像との何れか一方の乳房表示画像に第１の対象点の位置を指定する。第１の対象点の位置の指定は、例えば、マウス２３３の操作により実行される。
【００４９】
第１の対象点の位置が指定されると（ステップＳＢ３：ＹＥＳ）、システム制御部１１は、対象点設定部２５に設定処理を行わせる（ステップＳＢ４）。ステップＳＢ４において対象点設定部２５は、ステップＳＢ３において指定された位置に第１の対象点を設定する。
【００５０】
ステップＳＢ４が行われるとシステム制御部１１は、ユーザにより操作部２３を介して第２の対象点の位置が指定されることを待機している（ステップＳＢ５）。ユーザは、第１の対象点の位置を指定し終えると、操作部２３を介して、左乳房表示画像と右乳房表示画像との他方の乳房表示画像に第２の対象点の位置を指定する。第２の対象点の位置の指定は、第１の対象点と同様に、例えば、マウス２３３の操作により実行される。
【００５１】
第２の対象点の位置が指定されると（ステップＳＢ５：ＹＥＳ）、システム制御部１１は、対象点設定部２５に設定処理を行わせる（ステップＳＢ６）。ステップＳＢ６において対象点設定部２５は、ステップＳＢ５において指定された位置に第２の対象点を設定する。
【００５２】
ステップＳＢ６が行われるとシステム制御部１１は、ユーザにより操作部２３を介して目標点の位置が指定されることを待機している（ステップＳＢ７）。ユーザは、第２の対象点の位置の指定が終了すると、次に、操作部２３を介して表示ウィンドウに目標点の位置を指定する。目標点の位置の指定は、対象点の位置の指定と同様に、例えば、マウス２３３の操作により実行される。
【００５３】
目標点の位置が指定されると（ステップＳＢ７：ＹＥＳ）、システム制御部１１は、目標点設定部に設定処理を行わせる（ステップＳＢ８）。ステップＳＢ８において目標点設定部２７は、ステップＳＢ７において指定された位置に目標点を設定する。
【００５４】
ステップＳＢ８が行われるとシステム制御部１１は、座標記憶部２９に記憶処理を行わせる（ステップＳＢ９）。ステップＳＢ９において座標記憶部２９は、ステップＳＢ４において設定された第１の対象点の画像データ上の座標とステップＳＢ６において設定された第２の対象点の画像データ上の座標とを記憶する。また、ステップＳＢ９において座標記憶部２９は、ステップＳＢ８において設定された目標点の表示ウィンドウ上の座標を記憶する。
【００５５】
ステップＳＢ９が行われるとシステム制御部１１は、表示制御部１５に位置合わせ処理を行わせる（ステップＳＢ１０）。ステップＳＢ１０において表示制御部１５は、第１の対象点と第２の対象点と目標点とを利用して左乳房表示画像と右乳房表示画像とを位置合わせする。より詳細には、表示制御部１５は、表示ウィンドウ内の目標点の高さ座標に第１の対象点の高さ座標と第２の対象点の高さ座標とが一致するように左乳房表示画像と右乳房表示画像とを表示ウィンドウに対してスライドする。
【００５６】
次に図９と図１０とを参照しながら、第２実施例に係る左乳房表示画像と右乳房表示画像との位置合わせについて説明する。図９は、第１の対象点、第２の対象点、及び目標点の設定処理を説明するための図である。図９に示すように、ユーザは、ステップＳＢ３において、マウス２３３の操作によりマウスカーソルＭＣを移動して第１の対象点ＰＴ１の位置を指定する。図９においては、左乳房表示画像ＤＩ１の左ニップル領域ＲＮ１に第１の対象点ＰＴ１の位置が指定される。指定された位置の左乳房画像データ上の座標は、対象点設定部２５により第１の対象点ＰＴ１に設定される。次にユーザは、ステップＳＢ５において、マウス２３３の操作によりマウスカーソルＭＣを移動して第２の対象点ＰＴ２の位置を指定する。図９においては、右乳房表示画像ＤＩ２の右ニップル領域ＲＮ２に第２の対象点ＰＴ２の位置が指定される。指定された位置の右乳房画像データ上の座標は、対象点設定部２５により第２の対象点ＰＴ２に設定される。第１の対象点ＰＴ１と第２の対象点ＰＴ２とは、異なる乳房表示画像ＤＩ１，ＤＩ２に設定される。次にユーザは、マウス２３３の操作によりマウスカーソルＭＣを移動して目標点ＰＧの位置を指定する。図９においては、右側表示ウィンドウＤＷ２の中心高さに目標点ＰＧの位置が指定される。指定された位置の画面ウィンドウＤＷ上の座標は、目標点設定部２７により目標点ＰＧに設定される。なお、目標点ＰＧの位置は、右乳房表示画像ＤＩ２上において指定されても良いし、左乳房表示画像ＤＩ１上において指定されても良い。
【００５７】
なお第１の対象点ＰＴ１の位置、第２の対象点ＰＴ２の位置、及び目標点ＰＧの位置の指定を機械的に区別するために、第１の対象点ＰＴ１の位置、第２の対象点ＰＴ２の位置、及び目標点ＰＧの位置の指定に所定のルールが設けられても良い。例えば、第１の対象点ＰＴ１の位置の指定はマウス２３３によるシングルクイック操作により、第２の対象点ＰＴ２の位置の指定はマウス２３３によるダブルクイック操作により、目標点ＰＧの位置の指定はマウス２３３によるホイールのクイック操作により実行されても良い。また、第１の対象点ＰＴ１の位置、第２の対象点ＰＴ２の位置、及び目標点ＰＧの位置の指定後に、確定ボタンがクリックされることで、第１の対象点ＰＴ１の位置、第２の対象点ＰＴ２の位置、及び目標点ＰＧの位置の指定が確定されても良い。
【００５８】
図１０は、図９のように第１の対象点ＰＴ１、第２の対象点ＰＴ２、及び目標点ＰＧが設定された場合における左乳房表示画像ＤＩ１と右乳房表示画像ＤＩ２との位置合わせの一例を示す図である。図１０に示すように、第１の対象点ＰＴ１と第２の対象点ＰＴ２とが目標点ＰＧの高さ座標に位置するように、第１の対象点ＰＴ１が設定された左乳房表示画像ＤＩ１が高さ方向に沿ってスライドされ、第２の対象点ＰＴ２が設定された右乳房表示画像ＤＩ２が高さ方向に沿ってスライドされる。これにより、図８に示すように、左乳房表示画像ＤＩ１と右乳房表示画像ＤＩ２とが位置合わせされる。
【００５９】
以上で、第２実施例に係るシステム制御部１１の制御のもとに行われる位置合わせ処理の説明を終了する。
【００６０】
第２実施例において２つの対象点が設定される。従って、第２実施例によれば、１つの対象点が設定される第１実施例に比して、左乳房表示画像と右乳房表示画像との両方を所望の目標点の高さにスライドすることができる。
【００６１】
なお前述の説明において、第１の対象点と第２の対象点とは、ユーザにより手動で個別に指定された位置に設定されるとした。しかしながら、本実施形態はこれに限定されない。第２の対象点は、第１の対象点の位置に従う位置に自動的に設定されても良い。
【００６２】
図１１は、第２の実施例に係る第１の対象点ＰＴ１、第２の対象点ＰＴ２、及び目標点ＰＧの他の設定処理を説明するための図である。図１１に示すように、ユーザは、ステップＳＢ３において、マウス２３３の操作によりマウスカーソルＭＣを移動して第１の対象点ＰＴ１の位置を指定する。図１１においては、左乳房表示画像ＤＩ１の左ニップル領域ＲＮ１に第１の対象点ＲＴ１の位置が指定される。指定された位置の画像データ上の座標は、対象点設定部２５により第１の対象点ＰＴ１に設定される。
【００６３】
第１の対象点ＰＴ１が設定されると対象点設定部２５は、第１の対象点ＰＴ１の位置に解剖学的に同一な右乳房表示画像ＤＩ２上の位置に第２の対象点ＰＴ２´を自動的に設定する。例えば、対象点設定部２５は、第１の対象点ＰＴ１を含む局所関心領域を左乳房表示画像ＤＩ１または左乳房画像データに設定し、基準局所関心領域内の画素値分布を計算する。次に対象点設定部２５は、右乳房表示画像または右乳房画像データに複数の比較局所関心領域を設定し、各比較局所関心領域について画素値分布を計算する。そして対象点設定部２５は、複数の比較局所関心領域のうちの、最も基準局所関心領域の画素値分布に類似する画素値分布を有する比較局所関心領域を特定し、特定された比較局所関心領域に第２の対象点を設定する。
【００６４】
このようにして、対象点設定部２５は、第２の対象点を第１の対象点に従って自動的に設定することができる。従って、第１の対象点の位置と第２の対象点の位置との両方をユーザが指定する場合に比して、ユーザの手間が削減される。
【００６５】
（変形例）
上記の説明において、対象点の座標と目標点の座標とは、左乳房画像データと右乳房画像データとに関連付けて記憶されるとした。変形例に係る医用画像観察装置１は、記憶されている対象点の座標と目標点の座標とを利用して初期的に左乳房表示画像と右乳房表示画像とを位置合わせして表示する。
【００６６】
例えば、対象点設定部２５は、ユーザにより操作部２３を介して画像表示依頼がなされた場合、対象点設定部２５は、左乳房画像データと右乳房画像データとの少なくとも一方に関連付けられている対象点の座標を特定する。そして対象点設定部２５は、対象点の座標が関連付けられている乳房画像データの特定された座標に対象点を設定する。同様に目標点設定部２７は、左乳房画像データと右乳房画像データとの少なくとも一方に関連付けられている目標点の座標を特定する。そして目標点設定部２７は、表示ウィンドウ内の特定された座標に目標点を設定する。そして表示制御部１５は、設定された対象点と目標点とを利用して、前述の説明と同様の処理により、左乳房表示画像と右乳房表示画像とを位置合わせする。
【００６７】
上記説明の通り、本実施形態に係る医用画像観察装置１は、画像記憶部１３、表示部１９、対象点設定部２５、目標点設定部２７、及び表示制御部１５を有している。画像記憶部１３は、左乳房に関する左乳房画像データと右乳房に関する右乳房画像データとを記憶する。表示部１９は、左乳房画像データに基づく左乳房表示画像と右乳房画像データに基づく右乳房表示画像とを画面内の表示ウィンドウに並べて表示する。対象点設定部２５は、左乳房画像データと右乳房画像データとの少なくとも一方の乳房画像データに、ユーザからの指示に従って対象点を設定する。目標点設定部２７は、表示ウィンドウに、ユーザからの指示に従って目標点を設定する。表示制御部１５は、対象点と目標点とを利用して左乳房表示画像と右乳房表示画像とを位置合わせする。
【００６８】
上記構成により、本実施形態に係る医用画像観察装置１は、２回または３回の点指定操作により、左乳房表示画像と右乳房表示画像とを位置合わせすることができる。本実施形態に係る位置合わせ方法によれば、対象点と目標点とを任意の位置に設定可能である。従って医用画像観察装置１は、対象点をニップル領域に設定し、目標点をニップル領域を移動させたい位置に設定することにより、二つのニップル領域を表示ウィンドウの所望高さ座標に一致させて左乳房表示画像と右乳房表示画像とを表示することができる。
【００６９】
かくして本実施形態によれば、簡便な操作により左乳房画像と右乳房画像との位置合わせを行うことが可能となる。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７１】
１…医用画像観察装置、１０…情報処理プロセッサ、１１…システム制御部、１３…画像記憶部、１５…表示制御部、１７…出力ＩＦ部、１９…表示部、２１…入力ＩＦ部、２３…操作部、２５…対象点設定部、２７…目標点設定部、２９…座標記憶部、３１…判定部、１９１…医用画像参照モニタ、１９３…医用レポートモニタ、２３１…キーボード、２３３…マウス
【図１】
2014100302.tif 000003
【図２】
2014100302.tif 000004
【図３】
2014100302.tif 000005
【図４】
2014100302.tif 000006
【図５】
2014100302.tif 000007
【図６】
2014100302.tif 000008
【図７】
2014100302.tif 000009
【図８】
2014100302.tif 000010
【図９】
2014100302.tif 000011
【図１０】
2014100302.tif 000012
【図１１】
2014100302.tif 000013